(57)【要約】  【課題】    ５チャンネル対応オーディオアンプのＩＣ化を、左側と右側のチャンネル間のクロストークを伴うことなく実現し、５チャンネル対応オーディオアンプを用いたオーディオ装置の小型化、低価格化に寄与する。  【解決手段】一つのＩＣチップ１内に、音声信号を受けて増幅する増幅段２と、５チャンネル各々に対応して設けられた出力段４ＦＬ、４ＲＬ、４ＦＲ、４ＲＲ、４Ｃが設けられている。  そして、上記増幅段２の入力信号を受ける側と反対側に、中央１チャンネルの出力段４Ｃが、該出力段４Ｃ及び上記増幅段２が配置された領域の左右いずれかの側に、左側２チャンネルの出力段４ＦＬ、４ＲＬが、他方の側に右側２チャンネルの出力段４ＦＲ、４ＲＲがそれぞれ配置されている。【選択図】    図１
2005065143.tif 000002
【特許請求の範囲】
【請求項１】
一つのＩＣチップ内に、５チャンネル分の音声信号を受けて増幅する増幅段と、左側２チャンネル、右側２チャンネル及び中央１チャンネルの併せて５チャンネル各々に対応して設けられ上記増幅段からの信号を受けて出力する出力段が設けられ、
上記増幅段の入力信号を受ける側と反対側に、中央１チャンネルの出力段が、該出力段及び上記増幅段が配置された領域の左右いずれか一方の側に、左側２チャンネルの出力段が、他方の側に右側２チャンネルの出力段がそれぞれ配置された
ことを特徴とする５チャンネル対応オーディオアンプ。
【請求項２】
一つのＩＣチップ内に、音声信号を受けて増幅する増幅段と、左側２チャンネル、右側２チャンネル及び中央１チャンネルの併せて５チャンネル各々に対応して設けられ上記増幅段からの信号を受けて出力する出力段が設けられ、
上記増幅段の左右いずれか一方の側に、左側２チャンネルの出力段が、他方の側に右側２チャンネルの出力段が配置され、
上記増幅段、上記左側２チャンネルの出力段及び上記右側２チャンネルの出力段が配置された領域の上記強増幅段が入力信号を受ける側と反対側に、中央１チャンネルの出力段が配置された
ことを特徴とする５チャンネル対応オーディオアンプ。
【発明の詳細な説明】
【技術分野】
【０００１】
本発明は、５チャンネル対応オーディオアンプ、主として左前（ＦｒｏｎｔＬ）チャンネル、左後（ＲｅａｒＬ）チャンネル、右前（ＦｒｏｎｔＲ）チャンネル、右後（ＲｅａｒＲ）チャンネル及び中央チャンネルの併せて５チャンネルのオーディオ信号を増幅するカーオーディオ用の５チャンネル対応オーディオアンプに関する。
【背景技術】
【０００２】
マルチチャンネルの車載オーディオ機器はより一層の高性能化が要求されており、オーディオ機器メーカーはそのような車載オーディオ機器の高性能化と共に、低価格化が要求されている。
そして、その要請の応えるために、４チャンネル対応アンプを一つのＩＣ（半導体集積回路）チップ内に配置するという技術が開発された。図３（Ａ）、（Ｂ）はそのようなＩＣチップ及び該ＩＣチップが実装されたＩＣを示すものであり、（Ａ）はＩＣチップの概略構成を示す平面図、（Ｂ）はそのＩＣチップをパッケージに実装したＩＣを示す平面図である。また、図４は車内の座席と、４チャンネルオーディオ装置を設置した場合における各チャンネルのスピーカの配置を示す車内平面図である。
【０００３】
図３において、２０はＩＣチップ、２はそのＩＣチップ２０内の増幅段で、４チャンネルの入力信号を増幅して各チャンネル毎の出力段４ＦＬ、４ＲＬ、４ＦＲ、４ＲＲに振り分けて送る。出力段４ＦＬは図４に示すフロントＬスピーカへの、出力段４ＲＬはリアＬスピーカへの、出力段４ＦＲはフロントＲスピーカへの、出力段４ＲＲはリアＲスピーカへの出力オーディオ信号を発生する。
【０００４】
６はＩＣチップ２０を封止する封止樹脂パッケージ、８、８、・・・はＩＣチップ２０の電極を導出する配線箔、１０はその配線箔８を外部に導出するピンであり、ＩＣチップ２０の外部端子を成す。このピン８、８、・・・は各出力段４ＦＬ、４ＲＬ、４ＦＲ、４ＲＲの出力オーディオ信号の出力端子を成すもの、電源端子を成すもの、アース端子を成すもの、各チャンネルのオーディオ信号を入力する入力端子を成すものがあり、特に、電源端子は左側と右側とそれぞれに対応して別個に設けられている。
【０００５】
この図３に示した４チャンネル対応オーディオアンプによれば、一つのＩＣチップ２０を樹脂パッケージ６に実装した僅か一つのＩＣで、４チャンネル対応オーディオアンプが構成されているので、カーオーディオ装置の低価格化に大きく寄与することができる。
尚、アンプのマルチチャンネル化を集積回路に実現するものについては下記の文献：特許文献１による技術的提案があった。しかし、この提案は飽くまで混成集積回路によりアンプのマルチチャンネル化を図るというものである。
【特許文献１】特開２００１−３４５４１６号公報
【発明の開示】
【発明が解決しようとする課題】
【０００６】
ところで、マルチチャンネルのオーディオ装置として、４チャンネルのものの他に、５チャンネルのものも普及しつつある。５チャンネル対応のものは、図５に示すように、４チャンネルのスピーカ、即ち、フロントＬスピーカ、リアＬスピーカ、フロントＲスピーカ及びリアＲスピーカの他に、前の正面に後ろ向きに設けたセンタースピーカを付加し、５個のスピーカにオーディオ信号を送るようにしたものであり、センタースピーカには左側信号Ｌと右側信号Ｒを加算した信号が印加されるようになっている。
【０００７】
ところが、５チャンネルのオーディオ装置用のアンプを一つのＩＣ内に設けることは現在行われていない。しかし、５チャンネルのオーディオ装置においても、高性能化、低価格化が要請される。
本発明は、このような問題を解決すべく為されたもので、５チャンネル対応オーディオアンプのＩＣ化を、左側と右側のチャンネル間のクロストークを伴うことなく実現し、５チャンネル対応オーディオアンプを用いたオーディオ装置の小型化、低価格化に寄与することを目的とする。
【課題を解決するための手段】
【０００８】
請求項１の５チャンネル対応オーディオアンプは、一つのＩＣチップ内に、音声信号を受けて増幅する増幅段と、５チャンネル各々に対応して設けられた出力段が設けられ、上記増幅段の入力信号を受ける側と反対側に中央１チャンネルの出力段が、該出力段及び上記増幅段が配置された領域の左右いずれかの側に左側２チャンネルの出力段が、他方の側に右側２チャンネルの出力段がそれぞれ配置されたことを特徴とする。
【０００９】
請求項２の５チャンネル対応オーディオアンプは、一つのＩＣチップ内に、音声信号を受けて増幅する増幅段と、５チャンネル各々に対応して設けられた出力段が設けられ、上記増幅段の左右いずれかの側に、左側２チャンネルの出力段が、他方の側に右側２チャンネルの出力段が配置され、上記増幅段、上記左側２チャンネルの出力段及び上記右側２チャンネルの出力段が配置された領域の上記強増幅段が入力信号を受ける側と反対側に、中央１チャンネルの出力段が配置されたことを特徴とする。
【発明の効果】
【００１０】
請求項１、２の５チャンネル対応オーディオアンプによれば、増幅段と、５チャンネル各々に対する出力段を一つのＩＣチップ内に設けたので、５チャンネル対応オーディオアンプの小型化、低価格化を図ることができる。
そして、増幅段の、或いは増幅段と中央チャンネルの出力段の左右いずれかの一方の側、例えば左側に、左右の一方の側、例えば左側の二つのチャンネルの出力段が、増幅段の他方の側、例えば右側に、他方の側、例えば右側の二つのチャンネルの出力段が配置されているので、左右のチャンネル間におけるクロストークを少なくすることができる。
【発明を実施するための最良の形態】
【００１１】
本発明は、基本的に、一つのＩＣチップ内に、音声信号を受けて増幅する増幅段と、５チャンネル各々に対応して設けられた出力段が設けられたもので、一つの形態は、左右方向における中央の入力側の部分に増幅段を、その反入力側の部分に中央チャンネルの出力段を、そして、該増幅段と中央チャンネルの出力段が設けられた領域の一方の側に左右のうちの一方の側、例えば左側の二つのチャンネルの出力段を、他方の側に他方の側、例えば右側の二つのチャンネルの出力段を設けるという形態である。
また、他の一つの形態は、増幅段の左右のいずれか一方の側、例えば左側に、左右のいずれか一方の側、例えば左側の二つのチャンネルの出力段を、他方の側、例えば右側に他方の側例えば右側の二つのチャンネルの出力段を設け、その増幅段と４つの出力段からなる領域の増幅段に入力される側と反対側にセンターチャンネルの出力段を配置するという形態である。
【実施例１】
【００１２】
以下、本発明を図示実施例に従って詳細に説明する。
図１（Ａ）、（Ｂ）は本発明５チャンネル対応オーディオアンプの第１の実施例１を示すもので、（Ａ）は５チャンネル対応オーディオアンプを成すＩＣの概略構成を示す平面図、（Ｂ）はそのＩＣを樹脂パッケージに実装したものを示す平面図である。尚、車内の座席及び各チャンネルのスピーカの配置は図５に示す車内平面図通りであるので、図示を省略する。
【００１３】
図１において、１はＩＣチップ、２はそのＩＣチップ１内の増幅段２で、５チャンネルの入力信号を増幅して各チャンネル毎の出力段４ＦＬ、４ＲＬ、４ＦＲ、４ＲＲ、４Ｃに振り分けて送る。出力段４ＦＬは図５に示すフロントＬスピーカへの、出力段４ＲＬはリアＬスピーカへの、出力段４ＦＲはフロントＲスピーカへの、出力段４ＲＲはリアＲスピーカへの、出力段４Ｃはセンタースピーカへの出力オーディオ信号を発生する。尚、センタースピーカへの出力オーディオ信号は左側オーディオ信号と右側オーディオ信号を加算したもの、或いは加算したものを例えば２分の１等に減衰したものである。
【００１４】
６はＩＣチップ１を封止する封止樹脂パッケージ、８、８、・・・はＩＣチップ１の電極を導出する配線箔、１０はその配線箔８を外部に導出するピンであり、ＩＣチップ１の外部端子を成す。このピン１０、１０、・・・には各出力段４ＦＬ、４ＲＬ、４ＦＲ、４ＲＲ、４Ｃの出力オーディオ信号の出力端子を成すもの、電源端子を成すもの、アース端子を成すもの、各チャンネルのオーディオ信号を入力する入力端子を成すものがあり、特に、電源端子は左側と右側とそれぞれに対応して設けられている。
【００１５】
この図１に示した５チャンネル対応オーディオアンプによれば、一つのＩＣチップ１を樹脂パッケージ６に実装した僅か一つのＩＣ（半導体集積回路装置）で、５チャンネル対応オーディオアンプが構成されているので、カーオーディオ装置の低価格化に大きく寄与することができる。
そして、増幅段２の入力を受ける側と反対側にセンターチャンネルの出力段４Ｃが設けられ、その増幅段２及び出力段４Ｃからなる領域の左側に、左側の二つのチャンネルの出力段４ＦＬ、４ＲＬが、右側に右側の二つのチャンネルの出力段４ＦＲ、４ＲＬが配置されており、増幅段２及び出力段４Ｃからなる領域の同じ側に異なる側のチャンネルの出力段が位置しないように、即ち、同じ側には左右について同じ側のチャンネルの出力段が位置するように配置されているので、左右のチャンネル間でクロストークが生じにくくなるのである。
【００１６】
尚、図１に示した実施例では、増幅段２及び出力段４Ｃからなる領域の左側に左側のチャンネルの出力段４ＦＬ、４ＲＬが、右側に右側のチャンネルの出力段４ＦＲ、４ＲＲが配置されているが、その逆、即ち、増幅段２及び出力段４Ｃからなる領域の右側に左側のチャンネルの出力段４ＦＬ、４ＲＬを、左側に右側のチャンネルの出力段４ＦＲ、４ＲＲを配置するようにしても良い。このようにしてもクロストークが生じにくいからである。
【実施例２】
【００１７】
図２（Ａ）、（Ｂ）は本発明５チャンネル対応オーディオアンプの第２の実施例１ａを示すもので、（Ａ）は５チャンネル対応オーディオアンプを成すＩＣの概略構成を示す平面図、（Ｂ）はそのＩＣを樹脂パッケージに実装したものを示す平面図である。
本実施例１ａは、増幅段２の左側に左側のチャンネルの出力段４ＦＬ、４ＲＬを、右側に右側のチャンネルの出力段４ＦＲ、４ＲＲを配置し、その増幅段２、出力段４ＦＬ、４ＲＬ、４ＦＲ、４ＲＲからなる領域の、増幅段２が入力を受ける側と反対側に、センターチャンネルの出力段４Ｃを配置した構成にしたものである。
本実施例１ａによれば、増幅段２の同じ側に異なる側のチャンネルの出力段が位置しないように、即ち、同じ側には左右について同じ側のチャンネルの出力段が位置するように配置されているので、左右のチャンネル間でクロストークが生じにくくなるのである。
【００１８】
尚、図２に示した実施例では、増幅段２の左側に左側のチャンネルの出力段４ＦＬ、４ＲＬが、右側に右側のチャンネルの出力段４ＦＲ、４ＲＲが配置されているが、その逆、即ち、増幅段２の右側に左側のチャンネルの出力段４ＦＬ、４ＲＬを、左側に右側のチャンネルの出力段４ＦＲ、４ＲＲを配置するようにしても良い。
【産業上の利用可能性】
【００１９】
本発明は、５チャンネル対応オーディオアンプ一般に利用可能性がある。
【図面の簡単な説明】
【００２０】
【図１】（Ａ）、（Ｂ）は本発明５チャンネル対応オーディオアンプの第１の実施例を示すもので、（Ａ）は５チャンネル対応オーディオアンプを成すＩＣチップの概略構成を示す平面図、（Ｂ）はそのＩＣチップを樹脂パッケージに実装したＩＣを示す平面図である。
【図２】（Ａ）、（Ｂ）は本発明５チャンネル対応オーディオアンプの第２の実施例を示すもので、（Ａ）は５チャンネル対応オーディオアンプを成すＩＣチップの概略構成を示す平面図、（Ｂ）はそのＩＣチップを樹脂パッケージに実装したＩＣを示す平面図である。
【図３】（Ａ）、（Ｂ）は背景技術である４チャンネル内蔵アンプを示すもので、（Ａ）は４チャンネル内蔵アンプを成すＩＣチップの概略構成を示す平面図、（Ｂ）はそのＩＣチップを樹脂パッケージに実装したＩＣを示す平面図である。
【図４】車内の座席と、４チャンネルオーディオ装置を設置した場合における各チャンネルのスピーカの配置を示す車内平面図である。
【図５】車内の座席と、５チャンネルオーディオ装置を設置した場合における各チャンネルのスピーカの配置を示す車内平面図である。
【符号の説明】
【００２１】
１、１ａ・・・５チャンネル対応オーディオアンプ、２・・・増幅段、４ＦＲ、４ＲＲ、４ＦＬ、４ＲＬ、４Ｃ・・・各チャンネルの出力段、６・・・樹脂パッケージ、８・・・配線膜、１０・・・ピン（外部端子）。
【図１】
2005065143.tif 000003
【図２】
2005065143.tif 000004
【図３】
2005065143.tif 000005
【図４】
2005065143.tif 000006
【図５】
2005065143.tif 000007